(57)【要約】本発明は使用中に３次元カップ状形状が維持される股部領域に着用される物品である。本物品の股部領域では、側面要素が物品の中央股部領域および／または前面または後面領域に接合されて、カップ状形状が使用中に支持される。本物品はおしめ、女性用衛生パッドといったパッド、パンツ、あるいは擬似パンツ構造であり得ると同時に、吸収性および／または使い捨て性がある。【選択図】図１Ｅ
2008534092.tif 000002
【特許請求の範囲】
【請求項１】
使用中に着用者の股に窪んで位置するのに適したカップ状構造を含むか、あるいは使用中に構成するのに適した、前面および／または後面領域および股領域が含まれ、前記股領域には中央股領域および前記中央股領域の横外側の両股側面領域が含まれ、前記側面股領域が接合線に沿って、a) それぞれ隣接する前面あるいは後面領域に、あるいは、b) 前記股領域が前記中央股領域と一体でない場合には、接合線あるいは選択余地のある折り目線のうちの少なくとも１本が曲線状に形成されるように、前記中央股領域に、接合されることにより、前記カップ状構造が使用中に形成かつ維持される物品。
【請求項２】
前記側面股領域の横外側あるいは内側周囲が上向きに曲げられる前記カップ状形状が形成される請求項１による物品。
【請求項３】
前記側面股領域により環帯が形成され、前記環帯の幅が好ましくは１ミリを越える、さらに好ましくは５ミリを越える、またさらに好ましくは１０ミリを越えると同時に、好ましくは１００ミリ未満、さらに好ましくは７０ミリ未満、またさらに好ましくは４０ミリ未満である請求項１あるいは請求項２による物品。
【請求項４】
前記前面および後面領域に接合されるか、もしくはそれらによって形成される腰環帯が含まれる請求項１から請求項３までの任意の請求項による物品。
【請求項５】
さらに前記前面および後面領域に加えて、前記側面股領域に接合される側面パネル材料が含まれると同時に前記側面パネル材料が非一体性材料である選択余地のある請求項１から請求項４までの任意の請求項による物品。
【請求項６】
前記物品が使い捨て吸収性物品、使い捨て非吸収性物品、べビーおむつ、女性用衛生製品、成人用失禁製品、専用使用かあるいは使用が限定される下着片、手術室着衣片あるいは弾力性のある密着性着衣である請求項１から請求項５までの任意の請求項による物品。
【請求項７】
前記領域には織布材料、好ましくは非織布、フィルム、あるいはこれらの合成品が含まれる請求項１から請求項６までの任意の請求項による物品。
【請求項８】
前記領域に少なくとも部分的に弾性材料が含まれる請求項１から請求項７までの任意の請求項による物品。
【請求項９】
前記領域により、ASTEM−D１３８８に準拠した試験時に、好ましくは２０未満、あるいは１．５好ましくは２を越える、２０未満の片持ち梁剛性が示され、方向上、非一体性の剛性が示される選択余地のある請求項１から請求項８までの任意の請求項による物品。
【請求項１０】
前記接合線が連続的あるいは断続的な曲線、単一あるいは複数の線、分断線であるかあるいは接合領域の周囲として定められる請求項１から請求項９までの任意の請求項による物品。
【請求項１１】
前記接合が、好ましくは引き剥がし開放補助具の利用の選択余地がある固定式非縫合接合か、あるいは固定式鈎型環帯方式型あるいは再固定可能式接着方式である請求項１から請求項１０までの任意の請求項による物品。
【請求項１２】
さらに、(i) 吸収性心材材料、(ii) 障害脚袖口、(iii) 補助上部シート、(iv) 身体表面へのローション塗布の要素のいずれかあるいはすべてが含まれる請求項１から請求項１１までの任意の請求項による物品。
【発明の詳細な説明】
【技術分野】
【０００１】
本発明は利用あるいは着用中に３次元カップあるいはボウル状形状が維持される着用者の胴体下部に着用される着心地のよい着衣あるいはパッドといった物品に関する。ある特別な局面では、本発明は、使い捨て下着、ベビー用おむつあるいは成人用失禁製品といった自動高速製造ライン上で製造可能である使い捨て物品、なかでも特に使い捨て吸収性物品、さらには、ガードル、パンティ、タイツ等といった耐久性のある製品にも関する。
【背景技術】
【０００２】
人の胴体下部に着用が予定される物品はズボン、パンツのような着衣領域や、生理用パンツあるいはいわゆるトレーニングパンツといった衛生物品領域だけでなくおむつや失禁物品の領域でも、さらには女性介護領域で使用されるような使い捨てパッドもよく知られる。これらは物品の一部や一領域が着用者の両足間の股部領域に位置する一方で、本物品のその他の少なくとも一部領域が前後方向に伸張する点で共通している。この身体領域は特に微妙であるだけでなく、個々の利用者について広範な変動幅を伴う複雑な形状を示すので、この領域で着用される物品の合い具合に取り組む多くの試みが、特に、体液の吸収性および／または含浸性といったある一定の機能上の基準が明確に満足される物品をめざして行われてきた。
【０００３】
このような物品は、通常は、織物布地、非織布、および／または、フィルム材料、あるいはこれらの組合せ材、合成材といった織布材料が用いられて製造される。特に、使い捨て物品は、この平たい織布を組合わせて物品が形成される高速製造ラインで製造されることが多い。従来の製造ラインは、物品もまた平たいかあるいは平たい構造への折込が可能な場合にはその構成ならびに操業が極めて容易である。この点は当然、この物品の合い具合の要件と相反することが多い。
【０００４】
それ以後、心地良くかつ機能的に形作られしかも製造の容易な設計が生み出されるための多くの試みが行われてきた。
【０００５】
米国特許US-B-5615691では、会陰部区域保護装置が着用者の会陰部区域と衣類との間に非接触地帯がもたらされる細長いパッドの形態で説明されている。
【０００６】
月経および／または下着パンツと一緒に利用されることになる衛生ナプキンあるいはパッドが良く知られており、通常、パンツから切り取られる脚の長さ方向周辺で下方に包まれるよう設計されるいわゆるウイング部が含まれる。代案としての設計には、例えば、米国特許US-B-4655759やEP-A- 1332742に示されるようなカーブした蝶番線が含まれる。米国特許US-A- 2005/0107762では、股ずれ障壁が説明されていて、これは股領域から内側太股領域の方に伸びると同時に従来設計のパッドや衛生パンツに使用される。
【０００７】
さらなる方法はパンツあるいは擬似パンツ構造の合わせ具合が改善されることを狙っている。弾性部材付きの本質的に２次元の物品が良く知られる。単純な方法類では腰領域の構造といった弾性ベルトを用いるだけであるが、脚添え弾性材料を加えるものもあり、さらなる方法は、特に臀部領域に弾性側面パネルを用いることによって、様々な領域で弾性パネルを提供する。その他の方法では、米国特許US-B- 5590548に説明されるような比較的高価な、円状の編合わせ技術が採用されている。
【０００８】
米国特許US-A-2005/0120466には、弾性細長片を股部領域に取付けて切り取られる脚周辺に織布材料のひだがつけられることによって、ボクサータイプの短パンの合わせ具合を改善する試みが記述されている。身体がさらにぴったり合うようになるさらなる試みが米国特許US-B-6666851に公開されており、本質的に２次元（２Ｄ）のパンツ形態の使い捨て着衣が示されていて、合わせ具合は股部領域のひだとタックが付けられることによって改善されている。
【０００９】
合わせ具合が特に重要な意味をもつさらにもう一つのタイプの物品はベビー用や成人用のおむつである。通常は、この製品には、着用者の股部領域に配置されると同時に前方および／または後方に拡がって、着用者の腰周囲での物品付加用のシール手段および閉鎖手段と組合わされる吸収性中央片が含まれる。日本国特許JP08252281A2では、漏れを防止する太股の周囲廻りをシールする部分を伴った使い捨ておむつが説明されている。別のおむつ設計方法が米国特許US-B-06926702に赤ん坊の両脚に沿って拡がる側面フラップを有するおむつの形態で示されているとともに、米国特許US-B-4990147およびPCT／WO-A-04/043317では、肌から糞を分離する補助上面シートあるいは擬似上面シートそで口が含まれるおむつが公開されている。
【００１０】
さらに、閉鎖パンツの形態で設計される一方で、介護者によるチェックや、例えばトイレトレーニング中のよちよち歩き幼児のトイレの使用が可能となるように、開放も可能であってしかも再閉鎖可能でもある選択余地のある、トレーニングパンツとしての使用向けの使い捨ておむつといった、これまでに述べられた要素が組合わせられた数多くの方法が知られている。米国特許US-B-6652497では、着衣様外観を有する使い捨て吸収性物品が公開されているとともに、米国特許US-B-4797955ではスカートとパンツの組合せとしての単純な着衣が示されている。
【００１１】
しかしながら、検討された方法ではいずれも、女性用、男性用あるいは子供の身体向け、そして低コストでかつ高生産性の自動製造ラインにおいて製造されるよう計画される特に物品向けでない使用に適用されるにせよ、股部領域のそして上部太股領域あるいは少なくとも上部内側太股の領域廻りの合わせ具合が改善された完全に満足な方法は提供されない。
【００１２】
さらに、補助身体側面裏地と吸収性心材間の空洞空間が用意されて、固形の廃棄物が着用者の肌から離して維持されるよう設計されるいずれの物品でも、大半は開いた通常の使用条件でのこの空洞空間が保たれる機能上の手段は提供されない。
【００１３】
今後は、本発明の目的は、合わせ具合、含浸性、分離性、外観といった機能的または審美的要件が満足されると同時にしかも低コストで容易く製造可能である物品が提供されることにある。
【特許文献１】米国特許US-B-5615691
【特許文献２】米国特許US-B-4655759
【特許文献３】欧州特許EP-A- 1332742
【特許文献４】米国特許US-A- 2005/0107762
【特許文献５】米国特許US-B- 5590548
【特許文献６】米国特許US-A-2005/0120466
【特許文献７】米国特許US-B-6666851
【特許文献８】日本国特許JP08252281A2
【特許文献９】米国特許US-B-06926702
【特許文献１０】米国特許US-B-4990147
【特許文献１１】国際出願PCT／WO-A-04/043317
【特許文献１２】特許US-B-6652497
【特許文献１３】米国特許US-B-4797955
【発明の開示】
【００１４】
これは、使用中の着用者の股部で窪んで位置するのに適したカップ状の構造を含むか、あるいは使用中に含むのに適した物品である本発明によって達成される。本物品には前面および／または後面領域ならびに股部領域が含まれる。股部領域には中央股部領域、ならびに該中央股部領域の横外側に位置する両側面股部領域が含まれる。カップ上の構造が、側面股部領域をそれぞれ隣接する前面および後面領域に、および／または、両側面領域が中央股部領域と本質的に一体でないという場合には中央股部領域に接合線に沿って接合することによって、使用中に形成されかつ維持され、これによって、少なくとも１本の接合線あるいは選択余地のある折り目線が曲線状の形状をなす。本物品のカップ状形状は、両側面股部領域の横方向外側および内側の周囲を上向きに曲げて形成可能である。両股部領域により環帯も形成可能であると同時に腰環帯が前面および後面領域に接合されるかあるいはこれらによって形成可能である。
【００１５】
本物品にはさらに前面および後面領域ならびに側面股部領域に接合される側面パネル材料が含まれることが可能で、これによって該側面パネル材料は非一体性材料であり得る。
【００１６】
本発明による物品は使い捨て吸収性物品、使い捨て吸収性物品、ベビーおむつ、女性用衛生製品、成人用失禁製品、単独あるいは部分的に使用される下着片、手術室着衣片、あるいは密着合わせ具合弾性着衣であり得る。媒物品には、非織物材、フィルムあるいはこれらの複合材といった織布材料が含まれる。様々な領域において、本物品には少なくとも部分的に弾性材料が含まれる。該材料あるいは物品の領域は、方向上非一体性剛性が示される選択余地があり、ASTEM―D-1388に準拠した試験時に好ましくは２０未満、好ましくは１０未満、あるいは１．５好ましくは２を越える片持ち梁剛性を示す。
【００１７】
領域の接合は、連続的あるいは断続的な、曲線状あるいは単一の直線あるいは複数線、分断線あるいは接合領域の周囲として定められる接合線によって実施可能である。接合は、好ましくは引き剥がし開放補助具を付ける選択余地がある固定式非縫合接合かあるいは固定式鈎型環帯方式型あるいは再固定可能式あるいは固定式の接着方式である
【００１８】
本物品にはさらに吸収性心材、脚障害袖口、補助上部シートあるいは身体表面へのローション塗布が含まれ得る。
【発明を実施するための最良の形態】
【００１９】
本発明の意味合いでの物品は、使用あるいは着用中に３次元（３D）カップあるいはボウル様形状が維持されて着用者の下部胴体に着用される心地良い着衣あるいはパッドといった物品である。特定の局面では、本発明は、使い捨て下着、ベビーおむつあるいは女性用衛生あるいは成人用失禁製品といった、自動高速製造ラインで製造可能な、使い捨てさらに特には使い捨て吸収材の物品だけでなく、ガードル、パンティ、タイツ等々といった耐久性衣服に関する。
【００２０】
この物品に関する方向と方向の向きは、通常、ここでは、上向きに立った姿勢での物品の着用時の着用者に関連して定められる。この関係で、用語、下部、上部、外側、内側、前面、後面、左、右あるいは横方向が分析的定義において使用される。
【００２１】
従って、本発明に関連する範囲内では、着衣は横方向中心線に平行な方向に定義され、使用時には着用者の「左右」方向に並べられる横方向（ｙ方向、横断方向（CD）あるいは幅）、長さ方向中心線に平行な方向として定義され、使用中に立っている着用者の高さ方向に並べられる長さ方向（ｘ方向、マシン方向（MD）あるいは長さ）、および他に本質的に垂直な厚みあるいはｚ方向を有する。
【００２２】
ある物品あるいは材料片が使用中に着用者の背中から股部領域を通って前面腰領域まで伸びる場合に、MD線はU形状であり得る。CD線は左から右に向き得ると同時に厚さ方向の向きは全般的にこれらに垂直である結果、背中ならびに「U」の前面領域では、「前方／後方」、そしてUの中央領域あるいは着用者の股部領域では「上向き」を指す。
【００２３】
本発明の範囲では、任意の物品に複数の領域、特に、使用中それぞれ後方および上向きに前方に伸びる使用中の着用者の脚と前面および／または後面領域間の股部領域に計画されて置かれる股部領域が含まれる。いずれの領域にも、中心股部領域に横方向に隣接して位置する側面股部領域のような副次領域が含まれ得る。
【００２４】
ある物品上の任意領域によりこの使用時構成にある時の領域における物品の全体が参照されると同時に、従って、これにはしばしばレイヤー化された取り合わせでの様々な材料が含まれる。しかしながら、製造中あるいは製造後でも、２つの異なる使用中領域にある材料は、例えば、使用中に３次元形状を有する物品が平たく選択される余地があって、包装時に、畳まれる時には、相互に重ねて置かれ得る。
【００２５】
本関連の範囲では、任意の線が少なくとも２ヶ所の非同一点間に延びる。任意の線は連続線であり得るかあるいはこれには複数の線分あるいは幾何学的経路に沿って並べられる点群が含まれ得る。本関連での物理的な線（例えば、接合線としての接着結合線）はある一定の幅をもつと共に区域あるいは領域として見なされることもできる。この領域は、その直線あるいは曲線といった特徴的な形態を有し得る周囲線によって包囲されると同時に、該領域はその後直線周囲領域あるいは曲線状周囲領域としても説明され得る。本発明による物品により、少なくともその使用構成時にカップあるいはボウル状３次元構造を有することによって、使用中に股部領域に位置する物品の少なくとも部分が「上向きに開いた」あるいは窪んだ構造を定める。
【００２６】
これはさらに、長さ方向中央線１０２０に沿うｘ方向および横断方向中央線１０２２に沿う幅方向を有する単純な従来カップ状構造１０００の、透視図が示される図１A、上面図が示される図１Bならびに横断面側面図が示される図１Cで説明される。この物品には股部領域１０１５および分離線１０３８によって股部領域から切り分けられる前面（１０１２）および後面（１０１８）領域が含まれる。該股部領域は、折り目線の下に位置される吸収性材料が下に拡げられる輪郭形状が作られるといった、例えば、エンボス加工によってあるいはその他の適当な手段によって作られた曲線状折り目線１０３０によって中央股部領域から区切られる副次領域、すなわち、中央股部領域１０１４および横方向に隣接する両側面股部領域１０１６が含まれる本質的に一体性があると同時に連続的である領域（すなわち、接合片によって構成されない）である。この物品は、側面股部領域１０１６を折り目線１０３０に沿って上向きに包まれると同時にカップ状形状が取られる。しかしながら、これは、例えば、使用中にこれをこの形状に保つ力がある場合、例えば、これが支持パンティに配置される時には、この形状が維持されるだけであろう。このカップ形状物品は、ｚ方向１０２４に沿った本物品の厚みによって間隔をおいて離れて配置される「内側」（１０２６）および「外側」（１０２８）の面を有する。本物品が着用される時、内側は着用者の方向に向けられると同時に、外側面が対置される。しかしながら、製造中、この物品は「逆転される」、例えば、これが「内側を外に」製造されると同時に、その後回転されるかあるいは逆転可能である。同様に、この物品は、本物品の「内側」である空間ならびに本物品の外側である補完する空間によって描写され得る。「内部空間」は、従って、内面によって封入されると同時に、これらにより閉鎖空間が形成されない場合には、１枚以上の仮想上の蓋によって該空間が閉鎖される。さらに複雑な形状の物品に関しては、内側により、該空間が閉鎖されるのに必要とされる物品の内面ならびに最小負担区域によって封入される最小空間が参照される。従って、１本のズボンに関して、内部空間は物品の内面および腰部開口および両脚開口部の区域によって形成される。単純なカップ形状あるいは窪んだ物品に関しては、内側空間はボウルの容積に一致し、これによって、表面は最小負担区域により補完される（必要に応じて）。
【００２７】
本発明は、着用者の股部領域に少なくとも部分的に延びる着用者の下部胴体領域に着用されるかあるいは利用される物品あるいは着衣に関する。
【００２８】
特別な用途は、通常、着用者の腰部あるいは臀部だけでなく着用者の両脚部の少なくとも上部太股領域をも取り囲むパンツあるいはズボンに関係する。ズボンやパンツには、着用者に保持されるための一体あるいは独立の手段のベルト、サスペンダーあるいは補強具といったものが含まれ得て、これらにはいずれもが弾性材料が含まれるかあるいはこれから作られ得る。
このパンツは下着、ガードル等としても利用し得るし、運動着、水泳着等といったように外側での着用も可能である。パンツは、再利用が可能かあるいは使い捨て可能であるよう設計可能であり、後者は下着あるいは殺菌特性との組合わせで手術室での用途に適用可能である。このパンツには吸収性成分あるいは材料が含まれ得る。パンツには、女性によって着用される頻度が最も多い腰から脚までの身体の密着被覆であるパンティストッキングあるいはタイツの形態といったそこに接合されるストッキングがあることもある。
【００２９】
股部領域で着用される物品のさらなる用途は、吸収性と使い捨て性があるよう設計されることの多いパッド、保護用品、あるいは介護用品である。パンツとは対照的に、これらは通常、着用者の腰部を取り囲まないが、下着、運動着、あるいは月経パンツといった着衣のような支持手段によって身体上に固定される。さらに、あるいは代替えとして、パッドをこの着衣あるいは着用者の肌に直接に取付けるために接着手段が利用され得る。
【００３０】
尚、さらなる股部領域で着用される物品の用途領域はおむつである。おむつには通常、吸収性成分が少なくとも股部領域に含まれると同時に、使い捨て可能であるように設計され、つまりこれらは尿あるいは糞のような身体滲出物で一杯になった後廃棄されるよう計画される。
【００３１】
さらに、本発明は、１枚のパンツが形成されるよう固定的に閉じられると同時に、介護者が赤ん坊からおむつをより簡単に外せるよう「引き離し開放」特性が含まれる得るパンツ形状のおむつといった上記で説明された特色の組合せにも関連し得る。あるいは、おむつがメーカーによって事前に閉鎖されて、再閉鎖可能な特性によって、あるいはまた、ボタンおよびボタン穴が含まれるマクロ固定装置によって、あるいは、スロットアンドタブ固定手段といったものによって、開放可能な擬似パンツ構造が形成可能である。
【００３２】
同様に、パッドおよびパンツ方式が可能で、この場合には、パッドが特別に形成されて１枚のパンツに特別になじんで合う場合といったように、これらのいずれかあるいは両方の要素が相互に作用し合うように特別に調整される。通常は、必ずというわけではないにしても、パッドは吸収性ならびに使い捨て性があるが、パンツは再利用可能でかつ洗濯可能であり得る。
【００３３】
この物品はまた、着用者によって汚されない場合には再利用可能である一方で、汚される場合には処分も可能である身体上の滲出物が捕捉される特色のある水泳着でもあり得る。これはまたおむつあるいはその他のパンツ状構造とスカート状構造を組合わせ得る。
【００３４】
本発明の物品は高速製造ラインで製造可能であるので、これらは上記で説明された任意のタイプの使い捨て吸収性物品に関して特に妥当性があり、利用者のコストが最小限となるような低コスト製造を可能とする。「使い捨て可能」という用語は、洗濯、あるいはまた、吸収性物品あるいは成分としての再生あるいは再利用が予定されない吸収性物品あるいは成分を記述するためにここでは使用される（すなわち、これらは１回使用後廃棄されるとともに、好ましくはリサイクル、堆肥化あるいは環境上両立可能な方法でその他の処分が行われるよう予定される）。
【００３５】
使い捨て可能な吸収性物品はこれに含まれる様々な要素と合わせて多様な実施例において専門技術者にはよく知られるので、以降では、多くの一般的に既知の詳細はここでは省略される。これらは通常、尿、糞、月経、汗等の身体滲出物を受けるために着用されるので、いずれも限定のない、セルロース綿毛および／または超吸収性材料といった液体吸収性材料が含まれ得る。吸収性物品には通常、それぞれ物品と着用者身体間の空間内部の物品内に身体滲出物を保持する追加要素がさらに含まれ、他の着衣の汚れが回避される。通常は、この物品には、両脚および腰部といった物品の周囲にガスケット効果を生み出す弾性要素といったシール要素が含まれる。本物品には通常、身体体液が含浸される液体浸透性材料が含まれる。この物品で採用される多くの材料は織布材料、すなわち、フィルム、非織布、織布材料、繊維等といったロールあるいはスプール状のように本質的に無限の形で供給される平たい材料である。さらに、本物品には通常、いわゆる超吸収性材料のような粒子材料、あるいは接着剤もしくはスキンケア液のような液体といった別の材料が含まれる。
【００３６】
本発明による物品の窪んだカップ状形状は、例えば、接着によるといったように、使用中に側面股部領域が隣接領域に結合されることによって作られ維持される。第１実施例では、側面股部領域がそれぞれ物品の隣接する前面あるいは後面領域に接合される。
【００３７】
この実施例の第１典型例が、女性用介護パッドであり得るこのカップ状形状パッドの透視図が示される図１D、ならびに前面（１０１２）および後面（１０１８）領域およびこれら２つに接合される中央股部領域（１０１４）のある物品１０００の模式分解上部平面図が示される図１Eに描写されている。側面股部領域１０１６は曲線状折り目線１０３０によってそこから区切られる中央股部領域１０１４と一体性があり得る。図１Eに見られるように、この折り目線１０３０は、側面股部領域１０１６の横方向外側側面縁１０１９の方に十分には延びずに、分断点１０３７で切れる。この前方点から外側を見ると、側面股部領域は、本質的に横断方向に延びる切断線１０３４によって区切られている。物品が切り開かれると同時に、図１Eに於けるように平らに拡げられる場合、側面股部領域と前面および後面領域間に半三日月型切取り領域が現れる。この切断線１０３４は本質的に前方の分断点１０３７からそれぞれ後面方向に延びる結合線１０３６に接合される。この接合により横方向外側にパッドの断面が効果的に短縮されると同時に、従って、カップ状形状が創り出され維持される。この設計では、中央股部領域１０１５が、対応する分断点１０３７を連結する本質的にCD方向に向けられた分離線（１０３８）によって前面（１０１２）および後面（１０１８）領域から区切られる。
【００３８】
結合線に対する短縮および切断線の結合線との関連配置により、中央股部領域に関連する垂直に直立した側面股部領域が最大限創り出されるのが好ましい。熟練者であれば前面および後面領域と側面股領域間の接合もまた曲線に代わって直線の切断および結合線によって行われ得ることを容易く理解しよう。従って、半三日月型形状の切取りは三角形あるいは四角形のように見えよう。同様に、切断線は適切に整えられた折り目線と置き換え可能であって、これによって、切取りに対応する材料が畳み込まれて短縮が可能となる。
【００３９】
側面領域の結合が前面あるいは後面領域のどちらかにだけである場合、例えば、物品にそれぞれ他の領域が含まれない時には、カップ状形状は既に生まれている点もまた認められるだろう。
【００４０】
カップ状形状の創出と維持に関する第２実施例には、これが着用者の太股を取り囲む脚環帯の添加によって得られるような、中央股部領域と本質的に一体でない側面股部領域が含まれる。この実施例に関しては、接合線あるいは選択余地のある折り目線の少なくともいずれかが曲線形状である。
【００４１】
この実施例による第１典型物品が図２Aに描かれる。図２Aでは利用者に向いたまだ平たい状態にある、前面（１０１２）、後面（１０１８）および中央股部（１０１４）領域を伴う内面１０２６が示され、これによって中央股部領域が線１０３８により最初の２つから区切られる物品１０００が描かれる。該側面股部領域１０１６はそれぞれ脚環帯１０６０を形成する二重層材料から製作される。中央股部１０１４領域の該横方向外側周囲は、脚環帯材料１０６０の接触表面に結合される曲線状折り目あるいは接合線１０３０と一体で垂れ下がるため、該脚環帯材料１０６０により側面股部領域１０１６が形成されて、さらに脚環帯材料の残部が、着衣が着用者に向いた面１０２６と反対側の外側側面に拡げられる。脚環帯材料の２層は、例えば、閉鎖される環帯構造を形成する環帯結合線１０６２あるいは任意のその他の接合手段によってこれらの長さ方向周囲において相互に接合される。これらの幅は好ましくは１ミリを越え、さらに好ましくは５ミリを越え、尚一層好ましくは１０ミリを越えるのが好ましい一方で、好ましくは１００ミリ未満、さらに好ましくは７０ミリ未満、また最も好ましくは４０ミリ未満である。これらの形状は四角形または含浸と着用者のはき心地に最適と特定される任意の他の形状であり得る。利用者に適用される時点では、脚環帯は基本的に円筒形状あるいは物品の設計意図が最も満足されるよう特定される任意のその他の形状であり得る。
【００４２】
使用時に、側面股部領域１０１６の横方向外側周囲１０１９は上向きに包まれると同時に、開かれて脚開口部が形成されて、これによって、接合線の曲線形状のために、中央股部領域がカップ状形状に形成される。選択次第では、またしばしば好ましくは、横方向外側周囲１０１９もまた曲線形状であり得る。
【００４３】
着用者の脚廻りの固定により、この実施例は任意の追加支持手段無しでも身体上に適切に位置したまま留まるが、パンツあるいは身体接着剤といった別の支持手段に接合して使用することも可能である。
【００４４】
図１Aから図１Cまでに関連して説明される単純な従来設計とは対照的に、この設計は、その使用体勢に拡げられた後、そのカップ状形状が保持されるとともに、パンティのような支持力あるいは手段を必要としない。カップ状形状によりさらに肌の通気が可能となる空洞空間といった物品と着衣者間の非接触領域が生み出される。
【００４５】
二重層の環帯材料の代わりに、単一層材料が、意図的に着用者の内側太股に押し当てておかれる脚シール袖口１０６１として採用されるとともにこうして、さらに汚れを防止するカップ状形状補助具が生み出される点で異なるこの第２実施例による代案の物品設計が、図２Bに描かれている。脚シール袖口材料により横断方向折り目に対するある一定の剛性が示されるならば、この設計によってもまた維持力や手段の必要無しにそのカップ状形状が維持される。
【００４６】
各側面に示されるこれらの例は中央股部および側面股部領域間の曲線状接合線１０３０を示す一方、この１本の線に代わって、実質的に平行な線のような複数の線が使用可能であるか、あるいは（１点鎖線といった）中断線パターンが使用され得る。
【００４７】
接合はまた接合区域によっても行われ得る。これらの代案のいずれにおいても、接合領域を取り囲む周囲は曲線によって描かれ得る。図２Cにおいて、中央股部領域１０１４の横方向外側側面縁１０１９は、線１０３０と側面縁１０１９間の結合区域の境界区分心材周囲線でもあり得る折り目線１０３０よりさらに外側に位置する。このように、接合線はこれに曲線状折り目線が伴う場合には、直線あるいはその他任意の形状の接合線であって良い。上記例では、接合線には実際には二重の機能、すなわち、領域の接合および、例えば、使用時の構成に拡げられる時のカップ状形状の形成ならびに維持がある。図２Cに描かれるように、これらの２機能は分離可能であると同時に、この場合には、接合線は、例えば、直線あるいは複数の直線あるいは直線周囲を有する結合領域であり得る。
【００４８】
上述の２実施例は相矛盾するものではなく相互に補完するものである。このように、物品には前面／後面領域に接合される側面股部領域があり得るとともに、側面および中央股部領域間に曲線接続線あるいは折り目線があり得る。
【００４９】
この物品に関する典型的実施例は透視図が示される図３Aおよびシール袖口付きの１枚のパンツの模式的部分分解図が示される図３Bとともに描かれる。物品１６００の中央片１６１０は後面腰部領域１６１８から股部領域１６１５を通じて前面領域１６１２まで延びる。物品の腰部領域では、側面パネル１６２０が前面（１６２２）および後面（１６２１）接合線によって中央領域に接合される。使用中、着用者の太股領域の方に延びる股部領域では、非一体性側面股部領域１０１６を形成する追加の脚シール袖口１６３０は、側面片１６２０にこれらの線の連続の下方に沿って接合される。これらはまた、好ましくは、曲がった形状で製作され、これによって物品のカップ状構造を支持する接合線１６２５に沿って中央片に接合される。
また脚シール袖口１６２９の上側縁は好ましくは曲がった形状で製作される。脚シール袖口の幅は好ましくは１ミリを越える、さらに好ましくは５ミリを越える、そして尚一層好ましくは１０ミリを越える一方で、好ましくは１００ミリ未満、さらに好ましくは７０ミリ未満、そして最大限好ましくは４０ミリ未満である。これらの形状は四角形、あるいは含浸および着用者のはき心地が最善であると特定される任意のその他形状であり得る。図３Cでは切断されかつ平たく拡げられる中央片を伴った部分的分解図が示される。脚シール袖口１６３０は物品の外側面１０２８に取付けられる。
【００５０】
側面パネル１６２０はまた、図３Dに描かれるように、腰部前面領域１６１０の一体性のあるあるいは事前接合された横方向伸張部として設計可能である。これらの側面パネルがこれらの外側周囲１６１９で接合される時、これらにより、前面（１６１２）、後面（１６１８）領域および側面パネル伸張部１６２０の上部部分で腰部を、ならびに脚シール袖口１６３０および側面パネル１６２０の下部部分で脚部を取り囲む閉鎖パネル構造が形成される。
【００５１】
この環帯あるいは脚シール袖口設計により、「獲得空間」（おむつ）、脚領域でタイトながら柔らかいシーリング（女性衛生品および特に月経用パンツ）あるいは柔らかい力の分布（ガードル）が必要とされる物品について特別な恩恵がもたらされるかあるいは、着用者に持続的な動的な密着性がもたらされる。柔らかいシーリング力分布に加えて、特別な恩恵が脚シール要素の中央股部領域への接合から生じるものと思われる。カップ状形状が生み出されることとは関係なく、こうして、物品と着用者の肌との間の空洞あるいは空洞非接触領域の特別な恩恵が生み出されて、脚シール袖口のあるいは環帯に沿った力の分散が、シーリング要素の外側周囲に沿わずに（あるいは使用時に上部あるいは下部に沿って位置決めして）、さらにその中央領域の方に向かい、これによって、シーリングと支持機能の機能分離が可能となる。
【００５２】
例えば脚シール袖口が前後方向にのみ弾性的に伸張できるといった、物品のある領域だけに弾力性があるような、この設計方針についての様々な具体的実施例がある。また、側面パネルは、異なる領域で変動する弾力性の度合いおよび／または方向性を持つ選択余地のある弾力性を持たせても良い。この側面パネルは、機械的固定具のように再利用可能な閉合方式と組合わせたスリットであることによるといった具合に開放可能であり得る。側面パネルもまた、例えば、上部部分の（すなわち、腰部領域に到達する）第１材料から作られるものならびに下部部分の第２材料からなる第２のものとの２つの接合副次パネルから構成され得る。
【００５３】
脚廻り全体に内側太股領域から延びる脚シール袖口が含まれ、これによって環帯を形成するパンツ形状物品が示されるさらなる典型的実施例が図４に描かれている（透視図を示す図４Aならびに部分的に切り開かれかつ平たく拡げられる物品が示される図４Bを参照のこと）。脚環帯はここで結合線１６３１によって接合される材料の２つの層から作られる。こうして、この設計はまた、一つは腰部領域および腰部開口部に延びるもの、ならびにもうひとつは脚部開口部に延びるものというパンツの外側臀部部分が２種の異なる材料から構成され得るようになる。環帯の幅は好ましくは１ミリを越える、さらに好ましくは５ミリを越える、そして尚一層好ましくは１０ミリを越える一方で、好ましくは１００ミリ未満、さらに好ましくは７０ミリ未満、そして最も好ましくは４０ミリ未満であることが好ましい。これらの形状は四角形かあるいは、含浸や着用者のはき心地が最善であると特定される任意のその他の形状であり得る。利用者に適用される時、脚環帯は基本的に円筒形状あるいは物品の設計意図を最善に満足させるよう特定される任意のその他形状であり得る。
【００５４】
この関連で、環帯は、円形バンド材料といった閉鎖構造が参考にされる。通常は、必ずではないにしても、柔軟な材料の織布材料が含まれることが多いので、形状は必ずしも常に円形とは限らないが、長円、楕円あるいは例えば、これらを取り囲む場合の脚あるいは腰部をなぞるといった不規則な形状であっても良い。環帯の代表的実施例は、腰部を取り囲むベルトである。図５Aに描かれるように、このような環帯は腰部包囲線に対応するｘあるいは長さ方向軸、これに垂直な厚み寸法１０２４ならびに幅寸法１０２５を有し得る。
【００５５】
本質的に、環帯は、環帯厚み１０２４（あるいは織布材料厚み）に対応する距離に位置する外側方向（１０２８）および内側方向（すなわち、身体方向１０２６）に向いた面ならびに上部開口部並びに下部開口部から構成される。幅が比較的狭い環帯については、上部および下部開口部が必ずしもはっきり見分けられないので、環帯様ベルトにより腰部開口部あるいは脚開口部が形成されるものと見なされ得る。
【００５６】
本発明における有用な環帯は具体的（人の）身体部分に合うよう柔軟な織布材料から作られ得る。これは弾性材と組合わせて飾りギャザーを付けることによって伸張可能あるいは弾力的であり得るか、あるいは例えば管状に編むといった具合に編まれても良い。
【００５７】
環帯は、これが例えば、織布材料の繊維のような均一混合材料を通じた方法にせよ、あるいは環帯のｚ方向に２種以上の材料を組合わせることによって、あるいは異なる材料を環帯のｙ方向あるいは幅方向に長さ方向に相互に隣接して置くことによって、あるいは環帯のｘ方向に沿って周囲に１以上の片を接合することによって層状構造を創ることによってにせよ、数種の材料の複合品であっても良い。
【００５８】
環帯は一定幅１０２５を有して良いかあるいは幅が変動しても良い。これは円筒形状であって良いか、図５Cに描かれるように不規則形状であっても良い。これは着衣者に合うように改善されて行われても良い。これは例えば着用者あるいは介護者による着用が楽になる掴みフラップを形成することによって把握が容易であるように行われても良い。
【００５９】
環帯は、ベルトの両端を後に説明される任意の接合要素によって接合するという具合に恒久的かあるいは一時的に閉鎖され得る。特定の実施例では、環帯は、図５Bに描かれるように部分的に開放可能であり得て、この場合接合領域は恒久的結合（１０３１）として部分的に、また環帯直径の調整に利用可能である鈎環帯固定方式といった部分的に再固定が可能（１０３３）であるように製作される。
【００６０】
通常は、必ずというわけではなくても、環帯が、バンド、リボン、紐あるいはパネル、あるいは材料の１片あるいはある長さ分といった本質的に平たい材料によって形成され得る。環帯は図５Aから図５Cに示されるような一体性のある材料片であって良い。
【００６１】
本発明の関連において、｛一体性のある｝という用語により、１つ以上の領域、MD/CD平面の延長部に沿う材料片あるいは物品を本質的に形成する材料片が参照される。従って、例えば、おしめに物品全体を覆う一体性のある裏シートが含まれる場合には、上面シート、吸収性心材等といったそこに直接的、間接的に接合されるその他の材料により、物品全体が形成され得る。対照的に、物品の外側面がそこに接合される弾力性が与えられた側面パネルと組合わされる非弾性フィルムから構成される場合には、これは一体性のある設計とはならないであろう。
既に図２Aで示されるように、環帯は、例えば、２本のバンド１０６０を相互に平らに置くと同時に長さ方向端部縁１０６２を接合する場合にも、また２つの材料片から構成されても良い。
【００６２】
環帯材料あるいは脚シール材料が、弾性あるいは弾性が与えられた材料として製作される場合、中央領域で隣接した部分が少なくとも部分的に弾性的であるかあるいは伸張し得るように製作され得るのが好ましい。細長いかあるいは事前に引張りがかかった状態の環帯材料の適用ならびにその後に続く使用までの接合後の製品の弛緩は、環帯材料の弾性特性から恩恵を受ける複数の選択余地のひとつである。
【００６３】
本発明によるカップ状形状は、後面あるいは前面領域、脚袖口領域ならびに環帯領域構造あるいはその他の領域あるいは副次領域であるといった側面股部領域の物品のその他領域への接合によって生み出されると同時に維持される。接合は少なくとも一時的な領域と一体の保持に関する任意の方法が参考にされるとともに、これによって、接合、組合せ等のような用語は相互に入れ替えて用いられ得る。
【００６４】
代表的な接合は、接着線あるいは溶融融合結合といった結合線である。線は連続的あるいは断続的であり得る（例えば、線に沿って位置する結合点群）。この結合線は、図２Cに表示されるように直線、あるいは曲線であり得る。単独の結合線あるいは複数の結合線があろう。また、結合線により例えば、X様模様が形成されて分断され得る。接合部はまた、噴霧接着剤あるいは複数の結合線が施される場合のように、図２Cに表示されるように接合区域にわたることもある。この場合には、曲線あるいは直線であるという特徴的な特性により接合部周囲が参考にされる。上述のように、接合区域の特徴的描写は直線あるいは曲線であるものとしての周囲である。接着剤が塗られる場合には、これらは、例えば、熱、輻射、あるいは圧力によって、後の段階に反応促進可能である本質的に非粘着性あるいは少なくとも低粘着性状態で塗られるのが良い。
【００６５】
任意の接合は本質的に恒久性があり、つまり、破壊的にのみ開くことができる。この開口部は具体的に設計された切り離し線によって、例えば、汚れたパンツタイプのおむつが外される時に開口部がさらに制御されるように支えられる。
【００６６】
接合は、再固定時に、接着テープあるいは「鈎／環帯」タイプのふた（例えば「Velcro （登録商標）」）が用いられるといったように開放可能かつ再閉鎖可能でもある。また、ボタンおよび穴方式を採用するふた方式、あるいは、スロットアンドタブタイプのようにマクロ固定具が採用されても良い。また、従来のベルトバックル方式により再閉鎖可能な接合方式（図５C参照）が示される。
【００６７】
特に恩恵のある接合の実施例は、例えば、弾性的脚環帯が伸張可能な中央股部領域に接合される時、接合は弾性的、弾力性を持たせたあるいは伸張可能な材料の接合に関する。ある部分の引き延ばしが妨げられないよう、接合をこのように伸張可能なものとして設計することが好まれ得る。これは、専門技術者に知られる通り、例えば、心材の構成および心材の巻き付け用の適当な材料を用いることによって行われ得る。
【００６８】
本物品には、専門技術者には良く知られているので十分な詳細説明を必要としない様々なその他の機能上あるいは審美的要素が含まれる。
【００６９】
本物品が使い捨て可能な吸収性物品である場合に、多少とも前面および／または後面領域に延びる吸収性心材が中心股部領域に置かれ得る。選択余地のあるものとしては、さらなる吸収性が側面股部領域にあるいは脚シール袖口に設計され得る。吸収性の大きさだけでなく、獲得、分散、および保持特性といったその他の吸収性特性も一緒に特別な利用に合わせて調整可能である。例えば、パンティの裏地については極めて低い吸収能力のみが必要とされ得るかあるいは、脚シール袖口には例えば、肌の乾燥が維持される吸収能力の小さいものが備えられ得る。対照的に、特に、成人失禁適用向けのように、吸収能力は相当に高くて良いと同時に、複数のあるいは全部の物品領域にわたっても分散可能である。吸収性心材は任意の従来タイプのものであって良く、好ましい実施例には、超吸収性材料が含まれる。処理が容易になるよう、適当なサイズに切断されると同時に、物品あるいは物品カップ形状構造が構成されるその他の要素に合わされ得るプレファブ化（「ロールストック」）心材が用いられるのが好ましい。液体保持材料に加えて、心材には、開放構造織布といった、あるいは、芯材料といった液体分散部材、液体獲得部材といったその他の液体処理成分が含まれて良い。
【００７０】
物品の任意の領域は弾力性が与えられるかあるいは少なくとも伸張可能であり得る。これによりこれらの領域の材料が引張る時に延びるかあるいは引張り力が緩められると縮み得る点が参考にされる。好ましくは、この材料は引張り力が解放された後、これらの当初形状が保持されるだろう。しかしながら、また恒久的な伸張の一定程度が許容されるかあるいは合い具合を改善するために望ましいことさえあり得る。
【００７１】
特に、環帯構造は、その任意あるいは全ての要素に弾性を与えることによって弾力性が与えられ得る。例えば、側面パネルおよび中央片の前面および後面領域によって形成される、腰部を取り囲む環帯構造は、弾性的に伸張可能であって、与えられた伸張時の収縮力を異にする変動する弾力性の程度の選択の余地があって、これにより、側面パネル、前面領域、あるいは後面領域のいずれかあるいはすべてに弾力性が与えられることによって変動する腰囲に対応する。
【００７２】
弾力性を与えることは、丁度説明された腰部環帯において上部腰部周囲に近い領域には下部領域、例えば臀部を取り囲む領域より高い弾性収縮力があるといったように、環帯の幅を横断して変動し得る。
【００７３】
本発明により非常に良好なシーリングおよび含浸機能性がもたらされるとともに、いわゆる「障害脚袖口」あるいはその他の脚あるいは腰部を取り囲む袖口といった追加のシーリング要素が含まれ得る。また、いわゆる補助的な上面シートは、ここで以下にさらに詳細に説明される通り非常に都合良く本発明では利用可能である。
【００７４】
本物品にはさらに、色づけあるいは印刷によるといった見かけの外観あるいは、香水あるいは臭い吸収剤といった嗅覚成分を改善するとかいった審美的要素が含まれる。
【００７５】
これには、肌接触領域に塗られるスキンケア成分といった化粧あるいは医療成分も含まれる。これは、特に、脚シール袖口にあるいは上述の補助上面シートについて恩恵があり得る。本物品にはまた、専門技術で既知の空気対流増進剤あるいは温度調節剤といったミクロ気象調整成分が含まれる。
【００７６】
全般的に、本物品は広範な種類の材料、好ましくは少なくとも一つの織布材料から製造され得る。全般的に、「織布」という用語は、本質的に一方向に無限あるいは連続的な任意の材料に関係する（全体的に「X方向」としてあるいは「マシン方向」として表示される）。織布材料は必ずというわけではないが、ロール形態で貯蔵され、供給されあるいは使用されることが多く、従って、「ロール品」と表示されることも時にはある。これらは厳密な言葉の意味で「無限」ではないが、これらのこのｘ方向の伸張は他のいずれの方向よりもかなり大きい。連続ロール品あるいはその他のバッチ品を組合わせることによって、（「スプライシング」）この織布は、すべての実用目的について「無限である」と見なすことができる。織布はその１本のロールが出荷される時のように「バッチ」形態で輸送可能であるかあるいはこれらは織布がロールから巻き戻される時のように「織布経路」をたどり得る。本発明に関連して、織布材料の切断片は織布材料であると見なされる。
【００７７】
このように、織布材料は編み物材料（平たい）あるいは織物材料といった繊維質織布であり得る。織布材料は非織物あるいはフィルム材料あるいはその複合材の種別から選定されることが多い。いずれの材料も「呼吸可能」であり得て、つまりは、液体ではなく空気の浸透が可能である。中央片には吸収材料が含まれるかあるいは吸収心材で組合わされる。脚シール袖口は、中央片吸収剤構造からの漏出液体が捕捉されるよう設計され得るとともに、汗が吸収されるよう設計され得る一定の液体あるいは湿気の吸収能力を有する。
【００７８】
本発明に有用な材料は主として使用時要件、すなわち、特に、一定の強度、剛性あるいは柔らかさ、撓み能力、滑らかさ、必要に応じた吸収性等といったものを満足させなくてはならない。これらの特性がもしこのような正常な使用範囲を越えてしまう場合には、これらは本発明の機能性にマイナスに影響することもあり得よう。こうして、カップ状形状の形成を可能にするためには一定の剛性を越えてはならないが、一定の最小限剛性によりこの形状維持が高められよう。剛性は様々なパラメータによって決定可能であって、適切な方法は、片持ち梁剛性試験を引用するASTEM  D 1388であることが判明した。試験は織布の１インチ幅（２．５４センチ）の細長片が水平面に置かれることによって行われ、その１端は４１．５度の傾斜面の上端に当接する。試験サンプルはその狭い縁で水平面と傾斜面の交差部に置かれる。これは、自由端が撓むと同時に傾斜面と接触するまで、その後、２つの表面間の縁にわたって前進される。水平面からの出発点と傾斜面との接触点間の繊維の長さの半分が片持ち梁剛性長さである。好ましくは、本発明で採用される材料は、片持ち梁剛性値が少なくとも１．５、好ましくは２を越えるが、２０以下、さらに好ましくは１０以下である。材料の剛性値は、そして特に複合材料では、例えば、材料の横断方向にはより高いと同時に、マシン方向でより低いというように、様々な方向で異なり得る。
【００７９】
さらに、材料は一定の処理要件、さらにまた強度、剛性を満足させる必要があり得ると同時に、接着的あるいは熱的あるいは超音波的に結合可能であるといった接合を可能にすることもあり得る。
【００８０】
本発明は、縫合といった比較的低速な接合処理の適用を可能にするが、特別な恩恵は、これが熱的あるいは接着結合といった単純で安価でかつ迅速な処理を伴う複雑な形状物品の製造もまた可能にするという点にある。この点では、本発明は、非織布材料といった大量生産材料の利用を可能にするばかりでなく、模式的に図６に描かれると同時にさらに同時保留特許申請（弁護士審理予定表番号EIP0207201）で詳細が説明されるような強固な高速製造設備での製造も可能にする、その内容はここで参照によって一体に組込まれる。
【００８１】
この方法には、長さ寸法（ｘ方向）ならびに厚み寸法（ｚ方向）を超える幅寸法（ｙ方向）を有し、こうしてｘ−ｙ方向に沿って第１および第２表面を有する本質的に平たい織布材料の使用が含まれる。織布材料が一連の織布材料片を形成し得る。本方法は本質的に連続製造処理であり、織布処理頭部および反作用織布処理工具が含まれる織布処理装置によって同時に内側および外側面に作用する少なくとも一つの織布処理段階が含まれる。製造設備には、少なくとも２つの織布処理区間の少なくとも２つの織布片の平行処理用の織布経路分離手段が含まれ、これらの各区間には織布処理装置の処理能部ならびに一時的保持と織布材料片移動用の少なくとも第１および第２の織布支持手段が含まれる。これによって、第２織布支持手段は、第１織布支持手段に関連してｚ方向上に分岐して位置決めされて、第１および第２織布支持手段間のすき間を形成する場合に、第１および第２織布支持手段間のすき間寸法が変動可能となる。図６は典型的な全体処理構成を模式的に示し、織布経路分離手段は回転ドラム（あるいはタレット）３００である。織布材料１００は、全体織布経路速度２０８で織布経路２００に沿って織布供給手段２１０から巻き戻される。織布１００は織布搬送手段（２６０）および織布誘導具（２７０）手段によって処理端部区間９００に向かって織布経路分離手段３００を通って全体処理方向２０５に沿って搬送され、ここで、これが別の処理手段にあるいは例えば、包装ステーションに搬送され得る。
【００８２】
示される実施例では、織布経路分離手段は、６個の本質的に同一な織布処理区間（３０１，３０２，、、、、３０６）が含まれる回転輪３００である。これがある速度で回転する結果、タレットの外側面の接線速度３０８が全体織布経路速度２０８に一致する。処理区間には少なくとも第１（３３０）および第２（３５０）織布処理手段ならびに織布処理頭部４００が含まれる。追加の織布支持手段３４０が採用され得ると同時に、図６Bに示されるように、さらに追加の織布支持手段３６０が採用され得る。図６Bにはさらにタレット３００に供給される２つの織布（１０２と１０４）変型例が描かれており、そのそれぞれは織布切断手段３９７および３９５のそれぞれによって切断され得る。織布支持手段３３０と３５０は移動可能な配置に付加されて、これら２つの間の距離が変動可能となる（破線位置３５０’にて図６Bで表示される）と同時に、処理頭部４００の位置決めも変更可能であるので、これが織布支持手段３３０と３５０との間を移動可能となる。織布処理頭部は処理頭部に付加される２つの織布間に結合を生み出すように１つ以上の織布処理工具４５０と相互作用しあうと同時に、片方の側面にある処理頭部ならびに他方の側面にある処理工具によって同時に処理される。
【００８３】
本方法には以下のステップ、
（ａ）織布処理区域３０１，３０２、、、、３０６への織布経路分離手段３００を経由した織布材料１００の１片以上の供給
（ｂ）第１織布支持手段３３０への織布材料片１０１２の第１領域の、および第２織布支持手段３５０への織布材料の同じものあるいは異なる片の第２領域１０１８の、第１および第２領域が第１および第２織布支持手段間のすき間に位置決めされるような一時的取付け
（ｃ）織布支持手段とそこに付加される織布材料片の領域間のすき間距離を拡げるような、織布材料の第１および第２領域がそれぞれの織布支持手段に少なくとも部分的に付加されたままでの、第１（３３０）および第２（３５０）織布支持手段のｚ方向寸法の拡大
（ｄ）織布処理頭部の方向に向けられる織布材料領域の表面に接触するすき間における織布処理頭部４００の位置決め
（ｅ）これらがそれぞれ織布材料の対向面のうちの１面と相互に反応し合うことが可能となるような相互にかつ織布材料に関連する織布処理頭部４００ならびに織布処理工具４５０の位置決め
（ｆ）処理装置の織布処理頭部４００および織布処理工具４５０の共働的な操作による第１および第２織布領域の処理、これによる共同した物品の構造の形成
（ｇ）織布処理頭部のすき間からおよび／または頭部からの物品の取り外し
（ｈ）選択次第によっては追加の物品処理
（ｉ）織布取扱装置からの物品の取り外し
が含まれる。
【００８４】
織布材料はフィルム、繊維、織物、あるいは非織物織布あるいはこれらの複合品から作られ得る。第１および第２領域は材料タイプ、方向の向きが同一あるいは異なり得るか、あるいは様々な事前処理を受けさせ得る異なる織布に属し得る。織布材料は事前形成織布であって良く、選択次第ではベルトあるいは環帯のように閉鎖構造を形成する。本方法には、選択余地のある事前組立片、塊材料、あるいは流体さらにその他材料の利用が含まれるとともに、複数の処理手段が織布材料の１片上で実施され得る。好ましい処理段階は２領域の接合であるが、切断、押し付けあるいは織布の機械的な反応促進といった追加の処理段階が含まれ得る。
【００８５】
本発明は様々な物品にあてはまる。出願内容にどんな制約も意図することなく、特定の使い捨て吸収性物品について提供された特定の実施例および生ずる利点が次にさらに詳しく説明される。
【００８６】
女性用ケアパッドは、会陰部 領域を覆って着用者のパンツあるいはパンティに挿入されることによって通常用いられる。これらは、月経用パッド、失禁パッド、あるいはパンティ裏地として設計されよう。設計の差はパッドのサイズと吸収性とに関して変化しよう。このように、パンティ裏地は通常、吸収能力は小さいがこれらは、空気浸透（「呼吸可能」）材料を採用することによってさらに増進され得る閉塞効果が殆ど無いか全くないことが重要である。本発明はさらに着用者のパッドと身体間の非接触領域向けに可能である。図７は使用時構成における物品の模式横断面図であると同時に、ここで両脚１６７７、胴部下部１６７３およびこれらの間の股折り目１６７９によって表示される着用者の股部領域における位置決めをする「合わせ線」１６８２を示す。それぞれ図１D、２Bおよび２Aにおけるようにカップ状物品の上述の「合わせ線」が示される図７A、図７Bおよび図７Cに見られるように、本発明による製品は、特に脚シール袖口１６３０（図７B参照）あるいは脚環帯１６６０（図７C）が含まれる物品向けに動的合い具合とはき心地が持続されると同時に、特に、物品と肌間の非接触領域がもたらされることによって特に改善された漏出防止をもたらす。第１実施例もまた追加支持手段を当てにしているとともに、主として構造的に形成されるカップ形状を当てにしている。また第２実施例は追加の支持手段を必要とするが、シール袖口によりかなり改善された漏出保護が提供される。第１に、これは内側太股領域にシーリングバンドをもたらす。第２に、このシール袖口はパッドから上向きに延びて、漏出がさらに防止される。上記で説明される通りに図２Bに関連した設計が描かれている。環帯（図２Aに示されるように）を取り囲む脚付きの第３実施例は、パッドが脚環帯により位置固定可能であると当時に、脚環帯と中央股部領域間の構造的接合によって形状も保持可能であるために、実際に追加支持手段から独立して利用可能である。
【００８７】
より高い負荷用に計画された本物品に関して、吸収能力あるいはパッドの獲得能力（噴出処理）を超えて充満する場合には、外側着衣の汚れあるいは染みが防止されるために、パッドの両側面部分に漏出防止具があることがはるかに望ましかろう。従来のパッド設計は通常、パンツの脚袖口廻りの下方に包まれる側面股部領域（「ウィング」）物品の提供によってこれを解決するように試みる。これには、しかしながら、通常、例えば、パンティの外側側面へ、すなわちパッド（図８参照）の対向側面上の接着パッチによるウィングの取付けによって行われる１８０度の折り曲げが必要とされる。１８０度折り畳まれない場合には、折り目により中央股領域の上向きふくらみが支持されよう。
【００８８】
パンツタイプ物品は、例えば、手術室で着用される時の単独使用の非吸収性着衣として利用可能である。この非吸収性物品は、また、例えば、月経パンツとしてあるいは吸収性パッドと組合わせた失禁パンツ用の支持パンツとして利用される場合に、洗濯性が含まれる選択余地がある複数用途に有用であり得る。物品のパンツ構造は恒久的に閉鎖されるか、例えば、物品の着用を容易にするために腰部で開放可能であり得る。
【００８９】
従来のベビー用あるいは成人失禁用おむつには通常、着用者の腰部ならびに背中の方に前方および後方上向きに延びる着用者の股部領域に合う部分（パッドに類似）が含まれ、さらに着用者の腰部あるいは臀部廻りにおむつを取付ける閉鎖可能手段が含まれる。
【００９０】
この従来のおむつとは対照的に、本発明は、特に、漏出シーリング、はき心地および連続的な動的合わせ具合に関する明確な利点を可能にする。
【００９１】
図９Aに見られるように、股部領域の模式的横断面図が示される腰部力線１６９１によって表示されるように、従来のおむつは着用者の腰部あるいは臀部廻りの強力な固定を当てにしている。脚部に向かう漏出シーリングは、腰部領域に近接して付加されると同時に、股部折り目（すなわち、脚１６７７および胴体下部１６７３によって形成された折り目１６７９）を通って走る、通常、弾性要素によって行われる。この折り目により腰部股部折り目力線１６９３によって表示される通り力線が生み出される。この力線により、すべての弾性要素が、これらが物品の着用と同時に位置決めされた場所を無視して、通常、この股部折り目に合わされる。図９Bでは、「当初」合わせ線１６８２により物品の意図された位置決めが示されるが、ある一定の着用時間と動作後には、「使用時合わせ線」は、物品が充満していない時に、図９Cで表されるように、あるいは物品が充満している時には図９Dに示されるように見える。
【００９２】
本発明は、しかしながら、カップ状形状が形成されることに加えて、これにより合わせ具合を非常に有利に改善する脚包囲環帯が配置可能となる。図１０に見られるように、腰部１６９１廻りのパンツが保持されると同時に両脚１６９５でシールする力線が衝撃吸収される。その全幅にわたり脚に押し当てて配置される脚シール袖口により、極めて柔らかでかつ、はき心地良いシーリングが行われ得て、かつまた着用者の動的動きにも耐えられるようになろう。
【００９３】
図３に描かれるように、本発明によるパンツ設計には前面および後面領域だけでなく中央股部領域、両側面パネル片および脚シール袖口片もまた含まれる片が含まれ得る。
【００９４】
例えば、脚シール袖口片は弾力性が与えられるとともに、より大きい側面パネル片がより安価な非弾性織布から構成され得る。あるいは、側面パネル片は弾力性が与えられると同時に、例えば、脚部領域あるいは臀部領域に比較して、腰部領域において弾力性の程度を変動させる選択余地があり得る。
【００９５】
本発明によるパンツタイプ物品のさらなる設計が上述の通り図４に示される。この場合では、中央股部領域ばかりでなくさらに前面および後面領域にも接合される脚全体を包囲する、図３に描かれる設計におけるものよりも余計に横方向外側に拡がる側面股部領域としての脚環帯があり、これらが包まれ得ると同時に、腰部でも両脚部でも両方において完全な環帯構造が形成されるよう適切に接合される選択余地も可能である。
【００９６】
本発明の特に有用な用途はいわゆる補助上面シートが含まれる、おしめ用などの設計に関する。
【００９７】
補助上面シートは、米国特許US-B-4990147あるいはＰＣＴWO- A-04/04331で説明されるように従来のおしめで知られると同時に、吸収心材を覆う主上面シートに加えて、追加の織布材料が主上面シートに重ねて張られる（すなわち、着用者の方に向けられる）場合の設計に言及される。使用中に、この補助上面シートは、特に後面臀部領域で着用者の肌に近くかあるいは肌に接触さえもして配置される。選択余地として、またしばしば好まれて、補助上面シートは少なくとも部分的に弾性が与えられ得る。これにはさらに着用者の肛門開口部と関連して位置が決まる開口部が含まれ、糞はこの開口部を通って主および補助の上面シート間の空いた空間に浸透可能である。糞用補助上面シートの障害特性のため、着用者の肌はそこでしばしば侵攻性のある糞物質から保護される。これらの障害特性によりまた尿が妨げられて補助上面シートを通過し得るので、追加開口部が尿充満領域に提供され得るかあるいは、補助上面シートの尿充満領域が、尿が容易く浸透可能なように特別に取り扱われ得る。これは、恒久的に行われ得る親水化処理によって、すなわち、浸透してくる尿によって洗い流されずに実施可能である。あるいは、補助上面シートは尿出口点で終点可能であって、主上面シートによりこの特定領域で肌に近い層が形成される。図１１Ａには、脚弾性体１７４０により空洞が空間をあけたまま維持される一方で、障害袖口弾性体１７３０間で引き延ばされて当初位置決めされる補助上面シート１７１０を用いる従来の補助上面シート設計が示される。しかしながら、上記で検討されたように、この従来のおしめ設計では、脚弾性体が股部折り目１６７９の方に上向きに移動し易くなり、（図１１Ｂ）これによって、空洞空間が閉鎖されると同時に補助上面シートが非機能的になる。
【００９８】
対照的に、本発明は補助上面シート設計の特に良好な機能を提供する。図１１Ｃで描かれるように、補助上面シート１７１０は脚シール袖口１０６０の上側周囲１０１９に取付けられる。脚シール袖口が動作中に上側太股に留まるので、カップ形状股部領域空洞空間が維持される一方で、穿孔された補助上面シート１７１０は着用者の肌と密接な接触が維持される。従って、肛門開口部と関連して位置決めされる補助上面シートの開口部を通過して浸透する糞は、この空洞空間に収容されると同時に、さらに着用者の肌からの分離も可能となる。この設計の特別な利点は、小さい横断方向力だけが補助上面シートの開口部の所望の位置と開放の維持に必要とされるという点にある。主として長さ方向の力によって補助上面シートを肌に対して持ち上げようとする従来設計の物品のように製品を引き下げる、補助上面シートを着用者の肌に押し付けて保つよう必要とされる製品の長さ方向に作用する力は大したものではない。
【００９９】
このような製品の第１実施例では、図１２Ａおよび図１２Ｂを参照すると、脚環帯１６６０が物品の裏シート側面に、すなわち、図４Ａと図４Ｂにも描かれるように着用者から離れて取付けられている。第１上面シートが含まれる吸収性心材が含まれ得る中央股部領域は脚環帯１６６０に接合されることによって上述の通りカップ状形状をなし得る。着用者の肛門開口部に関連した穿孔穴１７１２が含まれる補助上面シート１７１０は、結合線１７１５に沿って前面および後面領域に接合されると同時に、脚環帯の上側縁１０１９に恐らくは接合されて、着用者の肌に密接して引き伸ばされる。脚廻りの脚環帯の放射方向合わせ具合の力のおかげで、図１１Ｃに描かれる構成でこれが保たれ、また使用中の動的応力に耐えると同時に空洞空間が開いたままに維持される。
【０１００】
この製品の製造は脚要素（すなわち、脚シール袖口１６３０あるいは脚環帯１６６０）を物品の外側面（すなわち、使用時構成にある時に着用者から離れた方向を向いて）に取付けることによって本質的に上述の通り展開される原理に従う。補助上面シートは、接着あるいは熱結合といったものによって正面および後面領域に接続されると同時に、これが、例えば、これらが使用時の構成に巻き戻された後に脚要素の上側周囲に接合可能である。この設計では、恒久的に補助上面シートが脚シール袖口あるいは環帯に結合されずに、その幅が脚要素へと側面方向に延びるように設計されるのが好ましかろう。あるいは、補助上面シートは、その工程のさらに上流での補助上面シートの付加に先立ち一時的に逆に巻き戻り得る脚環帯あるいは脚袖口の内面にその側面線に沿って少なくとも部分的に恒久的に結合される結果、脚環帯あるいは脚袖口の内側部分の上側縁が本質的に使用中と同様の位置にあり得る。
【０１０１】
第２上面シート（図１３）が含まれるパンツ製品の第２実施例には、物品の着用者に向いた側面、例えば、吸収性心材が上に重ねられる主上面シート上に上部に取付けられる脚要素が含まれる。しかしながら、これまでの設計とは対照的に、脚要素の横方向外側側面部分は、カップ状形状が創り出されるため９０度上向きには折り曲げられずに下方に多少折り曲げられる。脚要素の横方向内側側面部分は脚要素および側面股部領域（図１３Ａの線１６３２）の接合線よりも物品中央線に近接し、脚要素の内側部分は外側部分が下方に折り曲げられる時点で上向きに折り曲げられる。
【０１０２】
こうして、基本構造（脚要素および補助上面シートの使用に先立ち）は、本質的に、脚環帯を包囲するより幅が広い前面および後面領域を伴った図１３に示されるものに該当する。この場合に、この物品を形成する織布が部分的に分解されると同時に展開された図を伴った図１３Ａに示されるように、脚環帯１６６０は上部側に、すなわち、結合線１６３２を経由して着衣者に向いた側面１０２６に取付けられる。
【０１０３】
補助上面シート１７１０は脚環帯１６６０の外側および内側部分間に位置決めされると同時に、その内側層に環帯接合線あるいは領域１０３５を経由して接合される（これらの特徴に関する分解部分図は図１３Ｂに示される通り）。この領域は、脚環帯の上向き姿勢への巻き付け時にカップ状形状の形成にマイナスの影響を与えない直線の周囲をもつものとして示される。
【０１０４】
この実施例では、脚環帯と中央股部領域間の曲線接合／折り目線が無いため、中央股部領域の側面部分は身体輪郭により良好な順応が許されるようより柔軟であるのが好ましい。
【図面の簡単な説明】
【０１０５】
【図１Ａ】従来のカップ状物品が透視図、上面ならびに横断面図で模式的に示される。
【図１Ｂ】従来のカップ状物品が透視図、上面ならびに横断面図で模式的に示される。
【図１Ｃ】従来のカップ状物品が透視図、上面ならびに横断面図で模式的に示される。
【図１Ｄ】本発明によるカップ状物品の透視図ならびに部分的な分解図が模式的に示される。
【図１Ｅ】本発明によるカップ状物品の透視図ならびに部分的な分解図が模式的に示される。
【図２Ａ】これらの使用前の平たい構造のカップ状物品の設計が模式的に示される。
【図２Ｂ】これらの使用前の平たい構造のカップ状物品の設計が模式的に示される。
【図２Ｃ】これらの使用前の平たい構造のカップ状物品の設計が模式的に示される。
【図３】３次元形状パンツに関する色々な実施例が模式的に示される。
【図４】３次元形状パンツに関する色々な実施例が模式的に示される。
【図５Ａ】閉鎖したあるいは環帯構造が図式的に示される。
【図５Ｂ】閉鎖したあるいは環帯構造が図式的に示される。
【図５Ｃ】閉鎖したあるいは環帯構造が図式的に示される。
【図６Ａ】本発明による物品の製造用の工程構成が示される。
【図６Ｂ】本発明による物品の製造用の工程構成が示される。
【図７Ａ】股部領域の合わせ具合線が模式的に示される。
【図７Ｂ】股部領域の合わせ具合線が模式的に示される。
【図７Ｃ】股部領域の合わせ具合線が模式的に示される。
【図８】従来形状の吸収性パッドが模式的に示される。
【図９Ａ】従来のおむつ設計の力および合わせ具合線が模式的に示される。
【図９Ｂ】従来のおむつ設計の力および合わせ具合線が模式的に示される。
【図９Ｃ】従来のおむつ設計の力および合わせ具合線が模式的に示される。
【図９Ｄ】従来のおむつ設計の力および合わせ具合線が模式的に示される。
【図１０】本発明による擬似パンツ物品の力線が模式的に示される。
【図１１Ａ】補助上面シートが含まれる従来のおむつ設計に関する模式的合わせ具合線が示される。
【図１１Ｂ】補助上面シートが含まれる従来のおむつ設計に関する模式的合わせ具合線が示される。
【図１１Ｃ】本発明による補助上面シート付きのパンツ風おむつに関する模式的合わせ具合線が示される。
【図１２Ａ】本発明による補助上面シート付きパンツ風おむつの模式的透視図が示される。
【図１３Ａ】本発明による補助上面シート付きパンツ風おむつの代替え実施例が示される。様々な図中の同一番号は同一要素であることを示す。
【図１３Ｂ】本発明による補助上面シート付きパンツ風おむつの代替え実施例が示される。様々な図中の同一番号は同一要素であることを示す。
【図１Ａ】
2008534092.tif 000003
【図１Ｂ】
2008534092.tif 000004
【図１Ｃ】
2008534092.tif 000005
【図１Ｄ】
2008534092.tif 000006
【図１Ｅ】
2008534092.tif 000007
【図２Ａ】
2008534092.tif 000008
【図２Ｂ】
2008534092.tif 000009
【図２Ｃ】
2008534092.tif 000010
【図３Ａ】
2008534092.tif 000011
【図３Ｂ】
2008534092.tif 000012
【図３Ｃ】
2008534092.tif 000013
【図３Ｄ】
2008534092.tif 000014
【図４Ａ】
2008534092.tif 000015
【図４Ｂ】
2008534092.tif 000016
【図５Ａ】
2008534092.tif 000017
【図５Ｂ】
2008534092.tif 000018
【図５Ｃ】
2008534092.tif 000019
【図６Ａ】
2008534092.tif 000020
【図６Ｂ】
2008534092.tif 000021
【図７Ａ】
2008534092.tif 000022
【図７Ｂ】
2008534092.tif 000023
【図７Ｃ】
2008534092.tif 000024
【図８】
2008534092.tif 000025
【図９Ａ】
2008534092.tif 000026
【図９Ｂ】
2008534092.tif 000027
【図９Ｃ】
2008534092.tif 000028
【図９Ｄ】
2008534092.tif 000029
【図１０】
2008534092.tif 000030
【図１１Ａ】
2008534092.tif 000031
【図１１Ｂ】
2008534092.tif 000032
【図１１Ｃ】
2008534092.tif 000033
【図１２Ａ】
2008534092.tif 000034
【図１２Ｂ】
2008534092.tif 000035
【図１３Ａ】
2008534092.tif 000036
【図１３Ｂ】
2008534092.tif 000037
【国際調査報告】
2008534092.tif 000038
2008534092.tif 000039